(57)【要約】【課題】店舗における犯罪抑止効果を低下させない監視システムの提供。【解決手段】店舗１の所定位置に設けた雲台６に載せられた監視カメラ７が撮影した映像データを記録する記録装置８と、監視カメラ７の映像データを表示するモニタ装置９とを備えた監視システムにおいて、モニタ装置９と監視カメラ７に接続され、監視カメラの映像データと予め記憶される映像記憶データを、所定時間間隔でモニタ装置９へ切り換え表示させる表示制御部１０を備え、表示制御部１０がモニタ装置９へ予め記憶される映像記憶データを表示する時間は、望ましくは雲台６が所定角度を往復に要する時間の半分以上としたものである。【選択図】図１
2015019171.tif 000002
【特許請求の範囲】
【請求項１】
店舗の所定位置に設けた雲台に載せられ、所定角度を往復して前記店舗の売場を撮影する監視カメラと、この監視カメラが撮影して映像データを記録する記録装置と、前記店舗の所定位置に設置され、前記監視カメラの映像データを表示するモニタ装置とを備えた監視システムにおいて、
前記モニタ装置と前記監視カメラに接続され、前記監視カメラの映像データと予め記憶される映像記憶データを、所定時間間隔で前記モニタ装置へ切り換え表示させる表示制御部を備えたことを特徴とする監視カメラシステム。
【請求項２】
請求項１記載の監視システムにおいて、
前記表示制御部が前記モニタ装置へ予め記憶される映像記憶データを表示する時間は、前記雲台が所定角度を往復に要する時間の半分以上としたことを特徴とする監視カメラシステム。
【発明の詳細な説明】
【技術分野】
【０００１】
本発明は監視カメラシステムに係り、特に監視カメラを設置した店舗の防犯に好適な監視カメラシステムに関する。
【背景技術】
【０００２】
従来、店舗の所定位置に設けた雲台に載せられる監視カメラは、所定の角度範囲で往復して店舗内を撮影するとともに記録し、店舗の所定位置に設けたモニタ装置は、監視カメラの映像データを表示させることで、犯罪を未然に防止する監視システムに関する技術があった（特許文献１参照）。
【先行技術文献】
【特許文献】
【０００３】
【特許文献１】特開２００９−２００９７１号公報
【発明の概要】
【発明が解決しようとする課題】
【０００４】
上記技術に使用されている監視カメラは、レンズ部分をスモークカバーで覆われているものが多く、レンズが見えにくいため撮影されている範囲やタイミングが判断できないものである。
【０００５】
しかし、店舗に設置されるモニタ装置を見れば、撮影範囲と撮影タイミングが明確になるので、監視カメラが撮影しないタイミングを図れば、犯行を容易に行うことができることとなり、犯罪抑止が低下する問題があった。
【０００６】
本発明の目的は、店舗における犯罪抑止効果を低下させない監視システムを提供することにある。
【課題を解決するための手段】
【０００７】
上記目的を達成するために、本発明は、店舗の所定位置に設けた雲台に載せられ、所定の角度範囲で往復して前記店舗の売場を撮影する監視カメラと、この監視カメラが撮影して映像データを記録する記録装置と、前記店舗の所定位置に設置され、前記監視カメラの映像データを表示するモニタ装置とを備えた監視システムにおいて、前記モニタ装置と前記監視カメラに接続され、前記監視カメラの映像データと予め記憶される映像記憶データを、所定時間間隔で前記モニタ装置へ切り換え表示させる表示制御部を備え、前記表示制御部が前記モニタ装置へ予め記憶される映像記憶データを表示する時間は、望ましくは前記雲台が前記所定角度を往復に要する時間の半分以上としたことを特徴とする。
【発明の効果】
【０００８】
本発明によれば、モニタ装置には監視カメラの映像データと、予め記憶された映像記憶データとが、所定時間間隔で表示され、監視カメラが撮影していないタイミングを図ることが不可能となるので、犯罪抑止効果を高めることができる。
【図面の簡単な説明】
【０００９】
【図１】本発明の実施形態における監視カメラシステムのブロック構成図である。
【図２】本発明の実施形態におけるコンビニエンスストアの機器配置を説明する平面図である。
【発明を実施するための形態】
【００１０】
以下、本発明の監視カメラシステムの一実施形態を、図１、図２に基づいて説明する。
【００１１】
図１は本発明の実施形態における監視カメラシステムのブロック構成図で、図２は本発明の実施形態におけるコンビニエンスストアの機器配置を説明する平面図である。
【００１２】
図において、店舗であるコンビニエンスストア１の出入口２の対向部にトイレ３が設けられており、トイレ３から出入口２側に向って左隅にはレジ４が配設されている。
【００１３】
また、出入口２側のレジ４に対向するように、商品棚５Ａ、５Ｂが２列立設され、トイレ側には商品棚５Ｃ、５Ｄ、５Ｅが３列立設されている。
【００１４】
また、商品棚の５Ａ、５Ｂと商品棚５Ｃ〜５Ｅの概中央に位置するレジ４側の側壁の天井に、雲台６に取り付けられたカメラ７が設置されている。
【００１５】
ここで、雲台６は旋回角度１１である１８０度を往復することで、カメラ７にてコンビニエンスストア１の店内を撮影するとともに、カメラ７の映像データをレジ４に配置した記録装置８へ記録し、コンビニエンスストア１の防犯監視を行っている。
【００１６】
また、カメラ７が撮影した映像データは、表示制御部１０を介してレジ４に配置したモニタ装置９へ出力され、カメラ７の映像データをモニタ装置９表示し、コンビニエンスストア１の店内を、カメラ７で撮影していることを図示しない客に知らしめている。
【００１７】
また、表示制御部１０は、予め映像記憶データを記憶する図示しない記憶装置を有し、カメラの映像データと、図示しない記憶装置に記憶される映像記憶データとを、所定時間間隔で切り換えてモニタ装置９へ出力するものである。
【００１８】
次に本実施形態の動作の説明を行う。
【００１９】
まず、カメラ７は、雲台６の旋回角度１１である１８０度を往復する動きに伴って、コンビニエンスストア１の店内を撮影し、その映像データを記録装置８に記録するとともに、表示制御部１０を介してモニタ装置９へ映像データ１２Ａ〜１２Ｂを表示する。
【００２０】
表示制御部１０は、所定時間である１０秒間、カメラ７で撮影した映像データ１２Ａ〜１２Ｂをモニタ装置９へ表示させ、図示しない記憶装置に予め記憶される映像記憶データ１３Ａを、所定時間である１０秒間モニタ装置９への表示を行い、再度、カメラ７で撮影した映像データ１２Ａ〜１２Ｂの表示を繰返す表示制御を行うものである。ここで、映像記憶データ１３Ａはコンビニエンスストア１の目玉商品を知らせる映像でも、コンビニエンスストア１にて販売している商品のコマーシャル映像であっても良い。
【００２１】
本実施形態によれば、カメラ７で撮影したコンビニエンスストア１店内の映像データ１２Ａ〜１２Ｂと、表示制御部１０の図示しない記憶装置に予め記憶される映像記憶データ１３Ａとを、１０秒間隔でモニタ装置９へ表示させるようにすることで、モニタ装置９の映像を見てカメラ７の撮影方向と撮影時間を推測し難くなり、カメラ７で撮影されていない間に犯罪を行うことが困難となる。
【００２２】
また、本実施形態では、表示制御部１０の図示しない記憶装置に予め記憶される映像記憶データ１３Ａの表示時間を１０秒としたが、雲台６の旋回角度１１である１８０度を往復時間の半分以上とすれば、カメラ７の撮影方向と撮影時間の推測がさらに困難となる。
【符号の説明】
【００２３】
１           コンビニエンスストア
２           出入口
３           トイレ
４           レジ
５Ａ〜５Ｅ   棚
６           雲台
７           カメラ
８           記録装置
９           モニタ装置
１０        表示制御部
１１        旋回角度
１２Ａ，１２Ｂ      映像データ
１３Ａ      映像記憶データ
【図１】
2015019171.tif 000003
【図２】
2015019171.tif 000004